【事件の表示】
　上記当事者間の登録第１５４４３８０号商標の登録取消審判事件について、次のとおり審決する。
【結　論】
　本件審判の請求は、成り立たない。
　審判費用は、請求人の負担とする。
【理　由】
第１　本件商標
　本件登録第１５４４３８０号商標（以下「本件商標」という。）は、昭和５３年３月８日に登録出願、「ＫＥＷＰＩＥ」の欧文字を横書きしてなり、第９類「産業機械器具、その他本類に属する商品」を指定商品として、昭和５７年１０月２７日に設定登録されたものである。
 
第２　請求人の主張
　請求人は、本件商標の指定商品中、「風水力機械器具」についての登録を取り消す、審判費用は被請求人の負担とする、との審決を求め、その理由及び答弁に対する弁駁を要旨次のように述べ、甲第１号証及び甲第２号証を提出した。
１　被請求人は過去３年以内において、本件商標の指定商品中、「風水力機械器具」に本件商標を使用した事実は存在しない。本件商標の通常使用権者は必ずしも明らかではないが、たとえ、使用権者がいたとしても「風水力機械器具」に本件商標が使用された事実が存在しない。
　したがって、本件商標の指定商品中「風水力機械器具」についての登録は、商標法第５３条第２項（取消理由の趣旨より判断すれば、商標法第５０条の誤記と認める。）の規定により、取消を免れない。
２　乙各号証は、本件商標が「風水力機械器具」に使用されたことを何ら立証していない。
（１）乙第１号証について
　乙第１号証が「風水力機械器具」の「広告」であるためには、乙第１号証において、「風水力機械器具」を具体的に「商品」として特定したうえで表示していなければならない。
　しかるに、乙第１号証には、独立した商品として「風水力機械器具」は全く存在しない。
　たとえ、被請求人が「ポンプ、ドラムフィーダー」の調達、設置などの業務に関与しているとしても、そのような内容が乙第１号証に表示されている訳ではなく、また客観的に当該表示を裏付ける記載も存在しない。
　よって、乙第１号証は、指定商品中の「風水力機械器具」の使用を証明する証拠方法に該当しない。
（２）乙第２号証ないし乙第８号証について
　乙第２号証ないし乙第８号証による伝票のうち、各請求書には、「キユーピー」による片仮名文字及び「キユーピー人形」の図形による標章が表示されている。
　しかしながら、本件商標は「ＫＥＷＰＩＥ」であって、「キユーピー」ではない。
「キユーピー」の片仮名文字の使用は、「ＫＥＷＰＩＥ」によるアルファベット文字の使用を意味する訳ではない。
　特許庁の審査基準では、登録商標の使用とは認められない事例として、「ミカジン」と「ＭＩＫＡＺＩＮ」の相互間の変更使用が挙げられているが、本件の「キユーピー」と「ＫＥＷＰＩＥ」との関係はこの事例に該当する。
　同様の点は、「キューピー人形」の図形と本件商標である「ＫＥＷＰＩＥ」との間にも該当する。
　特許庁の審査基準では、登録商標の使用とは認められない事例として、「カエル」を表す図形と「蛙」の文字との間の相互間の変更使用が挙げられているが、「キューピー人形」の図形と本件商標「ＫＥＷＰＩＥ」との関係はこの事例に該当する。
　よって、乙第２号証ないし乙第８号証の各伝票は、指定商品中の「風水力機械器具」の使用を証明する証拠方法に該当しない。
（３）乙第９号証の１、乙第９号証の２、乙第７号証の２及び乙第８号証の２について
　乙第９号証の１及び乙第９号証の２の「ドラムフィーダー」に関する各パンフレットの代理店欄には、「キユーピー」の片仮名文字が表示されている。
　乙第７号証の２及び乙第８号証の２の各写真の内、末尾の写真には、「ドラムフイーダー」に「キユーピー」の片仮名文字による標章が示されている。
　しかしながら、各末尾の写真とこれ以外の写真との関連性が不明であるために、上記「キユーピー」が「ドラムフイーダー」に貼付されていることについては、客観的な証明が行われていないことに帰する。
　たとえ、「キユーピー」の片仮名文字による標章が、「ドラムフイーダー」に貼付されているものと解したとしても、「キューピー」の片仮名文字が、本件商標の使用に該当しないことは、（２）で述べたとおりである。
　よって、乙第９号証の１、乙第９号証の２、乙第７号証の２及び乙第８号証の２は、「風水力機械器具」の使用を証明する証拠方法に該当しない。
　　
第３　被請求人の主張
　被請求人は、結論同旨の審決を求める、と答弁し、その理由を要旨次のように述べ、証拠方法として、乙第１号証ないし乙第９号証（枝番を含む。）を提出した。
　被請求人は、本件審判の請求の登録前３年以内に、日本国内において、本件商標をその指定商品中の「風水力機械器具」に属する商品について使用しているものである。
（１）被請求人は、社内の組織にエンジニアリング事業部を有し、該事業部は、食品、医薬、建設に関するエンジニアリング事業を行っているものであり、エンジニアリング事業のパンフレットには、本件商標と同一の「ＫＥＷＰＩＥ」の文字よりなる商標が表示されている（乙第１号証）。
　エンジニアリング事業部では、食品、医薬に関して、工場建設から生産設備の調達、設置、稼働、メンテナンス等のエンジニアリング事業を行っているものであり、その中には、本件商標の指定商品中の「風水力機械器具」に属する商品である「ポンプ、ドラムフィーダー」も包含されている。
（２）被請求人は、エンジニアリング事業の一つとして、顧客の工場で使用する「ポンプ、ドラムフィーダー」についての注文を受け、以下のように納入している。
（ａ）「Ｚバイデルポンプ」（ＶＬＮ−３Ｄ−ＺＮ）を三浦工業株式会社より買い入れ、有限会社みやげ食品に納入（平成１２年３月７日〜平成１２年４月２７日）（乙第２号証）。
（ｂ）「Ｚバイデルポンプ」（ＶＬＮ−３Ｐ−ＺＨ）を三浦工業株式会社より購入し、有限会社三共技研に納入（平成１２年５月１０日〜平成１２年４月２９日）（第３号証の記載より、平成１２年４月２９日は平成１２年５月２９日の誤記と認める。以下同じ）（乙第３号証）。
（ｃ）「サ二夕リポンプ」（Ｍ３８−０．８−１１０）を岩井機械工業株式会社より購入し，株式会社力ナエフーズ・春日井工場に納入（平成１２年６月３０日〜平成１２年１０月３１日）（乙第４号証）。
（ｄ）「ケミポンプ」（ＮＳＣ０３−ＰＡＰＣ−ＩＯＣＥ）を有限会社鈴木商店に納入（平成１２年８月２８日〜平成１２年９月１９日）（乙第５号証）
（ｅ）「にがり注入ポンプ」（ヘイシンモーノポンプ　２ＮＬ０８Ｆ）を兵神装備株式会社より購入し、株式会社マルツネに納入（平成１２年８月３０日〜平成１２年１０月３０日）（乙第６号証）。
（ｆ）「ドラムフイーダー　一式」を三井リース事業株式会社より受注し、有限会社鬼怒川屋食品（後に「株式会社きぬがわや」に商号変更）に納入（平成１２年１０月１７日〜平成１２年１１月３０日）（乙第７号証の１及び乙第７号証の２）。
（ｇ）「ドラムフイーダー　一式」を三井リース事業株式会社より受注し、株式会社三幸横浜工場に納入（平成１２年１０月１３日〜平成１２年１２月２８日）（乙第８号証の１及び乙第８号証の２）。
（３）上記「ポンプ及びドラムフィーダー」に係る請求書の上部右側には「キユーピー」の文字よりなる商標と「キューピー人形」の図形よりなる商標が表示されているところ、「キユーピー」の文字よりなる商標は、「ＫＥＷＰＩＥ」の文字よりなる本件商標とは、片仮名及びローマ字の文字の表示を相互に変更するものであって、同一の称呼及び観念を生ずる商標であり、社会通念上同一と認められる商標であるから、本件商標を使用しているというべきものである。
　また、「ドラムフィーダー」は、「風水力機械器具」の範囲に属する商品である。
　上記「ドラムフィーダー」は、大同メタル工業株式会社（以下「大同メタル」という。）の製造に係る商品であるが、被請求人と大同メタルの間の平成５年５月２０日付けの契約により又は平成１０年５月２４日の契約終了後は大同メタルの了承のもと、大同メタルのポンプ及びドラムフィーダーのパンフレットの代理店欄にキユーピー株式会社独自の標章を付している。
　しかして、代理店欄に表示されたキユーピー株式会社独自の標章とは、「キユーピー」の文字よりなる商標である（乙第９号証の１及び乙第９号証の２）。
　そして、「ドラムフイーダー」には，操作盤の側面に「キユーピー」の商標を表示したシールが貼付されている（乙第７号証の２及び乙第８号証の２）。
　よって、被請求人は、本件商標を本件審判の請求の登録前３年以内に、日本国内において、その指定商品中の「風水力機械器具」に属する商品「ポンプ及びドラムフィーダー」に使用していたものである。
　　
第４　当審の判断
１　被請求人の提出に係る乙第各号証に徴すれば、次の事実が認められる。
（１）乙第１号証のエンジニアリング事業営業案内のパンフレットによれば、被請求人は、社内の組織にエンジニアリング事業部を有し、該事業部では、食品、医薬等に関する事業において、工場建設から生産設備の調達、設置、稼働、メンテナンス等のエンジニアリング事業を行い、そのパンフレットには、「ＫＥＷＰＩＥ」の文字が使用されていること。
（２）乙第２号証の取引書類（平成１２年３月７日〜平成１２年４月２７日）によれば、被請求人は、「Ｚバイデルポンプ」（ＶＬＮ−３Ｄ−ＺＮ）を三浦工業株式会社より買い入れ、有限会社みやげ食品に納入していること。
（３）乙第３号証の取引書類（平成１２年５月１０日〜平成１２年４月２９日）によれば、被請求人は、「Ｚバイデルポンプ」（ＶＬＮ−３Ｐ−ＺＨ）を三浦工業株式会社より購入し、有限会社三共技研に納入していること。
（４）乙第４号証の取引書類（平成１２年６月３０日〜平成１２年１０月３１日）によれば、被請求人は、「サ二夕リポンプ」（Ｍ３８−０．８−１１０）を岩井機械工業株式会社より購入し、株式会社力ナエフーズ・春日井工場に納入していること。
（５）乙第５号証の取引書類（平成１２年８月２８日〜平成１２年９月１９日）によれば、被請求人は、「ケミポンプ」（ＮＳＣ０３−ＰＡＰＣ−ＩＯＣＥ）を有限会社鈴木商店に納入していること。
（６）乙第６号証の取引書類（平成１２年８月３０日〜平成１２年１０月３０日）によれば、被請求人は、「にがり注入ポンプ」（ヘイシンモーノポンプ　２ＮＬ０８Ｆ）を兵神装備株式会社より購入し、株式会社マルツネに納入していること。
（７）乙第７号証の１及び乙第７号証の２の取引書類（平成１２年１０月１７日〜平成１２年１１月３０日）によれば、被請求人は、「ドラムフイーダー　一式」を三井リース事業株式会社より受注し、有限会社鬼怒川屋食品に納入していること。
（８）乙第８号証の１及び乙第８号証の２の取引書類（平成１２年１０月１３日〜平成１２年１２月２８日）によれば、被請求人は、「ドラムフイーダー　一式」を三井リース事業株式会社より受注し、株式会社三幸横浜工場に納入していること。
（９）上記、（２）ないし（８）の取引書類中の請求書の右側上部には、「キユーピー」の文字と「キューピー人形」の図形が表示されていること。  
（１０）乙第９号証の１及び乙第９号証の２の大同メタルのポンプ及びドラムフィーダーのパンフレットの代理店欄には、「キユーピー株式会社　エンジニアリング部」の文字と共に「キューピー」の文字を使用していることが認められる。        
２　しかして、商標を商品の取引書類（請求書）及び商品パンフレットに付して使用することは、商取引において普通一般に行われている、商標の使用行為と認められるものである。
　さらに、本件商標は、「ＫＥＷＰＩＥ」の文字よりなるところ、本件商標と被請求人の使用する「キユーピー」の文字とは、ローマ文字及び片仮名文字の表示を相互に変更するものであって、「キューピー」（キューピッドを戯化したキューピー人形）の称呼及び観念を同一にする商標であるから、その使用は本件商標と社会通念上同一のものというのが相当である。
　また、被請求人が「キユーピー」の文字使用している商品「ポンプ、ドラムフィーダー」は、「風水力機械器具」に属する商品といえるものである。
　そうとすれば、被請求人（商標権者）は、本件商標を本件審判の請求の登録前３年以内に、日本国内において、請求に係る商品「風水力機械器具」に属する商品「ポンプ、ドラムフィーダー」に使用していたものというべきである。
　したがって、本件商標は、商標法第５０条の規定により、請求に係る商品「風水力機械器具」について、その登録を取り消すことはできない。
　よって、結論のとおり審決する。